(57)【要約】【課題】            コストアップを招くことなく取付面への水の到達を回避することができる、電気部品の取付部品を得る。【解決手段】        少なくとも上側が電気機器の側面に略直角をなす帯状の平面部８を持つ取付脚５によって取付面６が電気機器の側面から浮いた状態に取付けられ、その取付面６に電気部品４が取付けられる取付部品１に対して、取付脚５の平面部８の両側に鋭角の切欠き９を設け、平面部８の平面に、背面側に漏斗状にすぼまる水誘導孔１０を設ける。【選択図】          図３
2008251624.tif 000002
【特許請求の範囲】
【請求項１】
少なくとも上側が電気機器の側面に略直角をなす帯状の平面部を持つ取付脚によって取付面が前記電気機器の側面から浮いた状態に取付けられ、その取付面に電気部品が取付けられる取付部品であって、前記取付脚の平面部の両側に鋭角の切欠きを設け、同平面部の平面に、背面側に漏斗状にすぼまる水誘導孔を設けた取付部品。
【請求項２】
少なくとも上側が電気機器の側面に略直角をなす帯状の平面部を持つ取付脚によって取付面が前記電気機器の側面から浮いた状態に取付けられ、その取付面に電気部品が取付けられる取付部品であって、前記取付脚の平面部に幅方向全体にわたる溝を設け、その溝の底に排水孔を設けた取付部品。
【請求項３】
請求項１又は請求項２のいずれかに記載の取付部品を機器本体の側面に取付け、速結端子等の電気部品を前記取付部品の取付面に取付けた送風装置。
【発明の詳細な説明】
【技術分野】
【０００１】
本発明は、電気機器に電気部品を取付ける取付部品及び取付部品を使って電気部品を取付けた送風装置に関するものである。
【背景技術】
【０００２】
送風装置等の電気機器に取付けられる電気部品の中には水に弱く、濡れることによりトラッキング不良や金属部分の錆発生などを招くものがある。特許文献１に示されているような送風装置では伝い落ちる雨水や結露水に電気部品が晒されることがある。このように水に弱い電気部品は、特許文献２に示されているような、底に排水構造を設けた収納ボックスに収納されて取付けられることもある。
【０００３】
【特許文献１】特開平６−３１３６０３号公報
【特許文献２】特開２００４−４８８５８号公報
【発明の開示】
【発明が解決しようとする課題】
【０００４】
特許文献１に示されているような送風装置では機器本体の側面に取付けられた取付部品に電気部品が取付けられる。取付部品は、送風装置の本体側面に略直角をなす帯状の平面部を上側と下側に持つ取付脚によって電気機器を取付ける取付面が電気機器の側面から浮いた状態に取付けられている。直接、電気部品に雨水や結露水が降り掛かることはなく、本体の側面を伝い落ちてくる水に電気部品が濡れることがある。従って、特許文献２に示されているような収納ボックスを使うことは、コストの面からも利がない。上述の取付部品の場合、水の電気部品に至る経路は上側の取付脚もしくは送風装置の取付角度を変更した場合の下側の取付脚だけである。この取付脚に、特許文献２に示されている排水構造を採用できればいいが、そのような排水構造を構成するには取付脚を大きくしなくてはならない。現状のままの取付脚の大きさで排水構造を構成すれば、取付脚の強度が損なわれてしまうという問題がある。
【０００５】
本発明は、上記したような電気機器の本体側面に、本体側面に略直角をなす帯状の平面部を上側に持つ取付脚によって電気機器を取付ける取付面が電気機器の側面から浮いた状態に取付けられる取付部品を、そのまま使って、コストアップを招くことなく取付面への水の到達を回避することであり、その取付部品を備えた電気部品の水濡れを防止できる送風装置を得ることである。
【課題を解決するための手段】
【０００６】
上記課題を解決するために本発明は、少なくとも上側が電気機器の側面に略直角をなす帯状の平面部を持つ取付脚によって取付面が電気機器の側面から浮いた状態に取付けられ、取付面に電気部品が取付けられる取付部品について、取付脚の平面部の両側に鋭角の切欠きを設け、平面部の平面に、背面側に漏斗状にすぼまる水誘導孔を設ける手段を採用する。
【発明の効果】
【０００７】
本発明によれば、水の電気部品に至る経路となり得る、取付面を電気機器の側面から浮いた状態に支える取付脚に鋭角の切欠きと、漏斗状にすぼまる水誘導孔を設けたので、平面部の水滴は、切欠きにより表面張力を失い、濡れた状態となって水誘導孔に誘導され、水誘導孔から排出される。従って、電気部品を取付ける取付面には水が及ばない。つまり、水滴の浸入を完全に防止する収納ボックス等を設けなくても、水滴、ほこりに直接晒されることを防ぐ保護カバーのみで取付面への水の到達を回避することができる。
【発明を実施するための最良の形態】
【０００８】
本発明の取付部品は、電気機器（例えば、プロペラファンを直線状に並べたエアー搬送ファン等の送風装置）の側面に取付けられ、速結端子等の電気部品を取付けるものである。取付部品は板金製で、少なくとも上側が電気機器の側面に、直角をなす帯状の平面部を持つ取付脚によって取付面が電気機器の側面から浮いた状態に取付けられる。下側についても同様な取付脚が設けられ、取付面を対角状に電気機器の側面から浮いた状態に支えている。電気部品は取付面に取付けられる。この取付部品について取付脚の、取付面と略直角をなす平面上に位置する平面部の両側に三角形の鋭角の切欠きが設けられている。この両側の切欠きより取付面寄りの平面部の平面に、背面側に漏斗状にすぼまる水誘導孔が設けられている。
【０００９】
本発明によれば、水の電気部品に至る経路となり得る、取付面を電気機器の側面から浮いた状態に支える取付脚に鋭角の切欠きと、その取付面寄りに背面側に向かって漏斗状にすぼまる水誘導孔が設けられているので、電気機器の側面等に生じ、取付部品の取付脚の平面部にできる水滴は、両側の切欠きによりその表面張力を失い、濡れた状態となって水誘導孔に円滑に誘導され、水誘導孔から排出される。従って、電気部品を取付ける取付面には水が及ばず、水滴の浸入を完全に防ぐ収納ボックス等を設けなくても、水滴、ほこりに直接晒されることを防ぐ保護カバーのみで、取付脚を大きくしないでも取付面への水の到達を回避することができる。
【００１０】
実施の形態１．
図１は、本実施の形態の取付部品を示す斜視図、図２は、同じく取付部品の要部を拡大して示す斜視図、図３は、取付状態で取付部品の要部を拡大して示す斜視図、図４は、送風装置の斜視図、図５は、他の形態の取付部品の要部を拡大して示す斜視図である。
【００１１】
本実施の形態の取付部品１は、プロペラファンを直線状に並べたエアー搬送ファン等の送風装置２の側面３に取付けられ、速結端子等の電気部品４を取付けるものである。送風装置２の側面３には雨水や結露水の水滴が生じることがある。取付部品１は板金製で、上側と下側に対角状に二本の取付脚５が設けられ、この取付脚５によって電気部品４を取付ける取付面６を対角状に送風装置２（電気機器）の側面３から浮いた状態に支えている。各取付脚５の自由端側は取付部７として直角に曲げられ、送風装置２の側面３にネジ付けされる。この取付部品１について、排水構造として取付脚５の、取付面６と略直角をなす平面上に位置する平面部８の両側に三角形の鋭角の切欠き９と水誘導孔１０が設けられている。水誘導孔１０は、両側の切欠き９より取付面６寄りの平面部８の平面に、背面側に漏斗状にすぼまる孔として構成されている（図２，３参照）。切欠き９と水誘導孔１０は取付脚５の幅方向に並んで設けるより、ずらして設ける方が取付脚５の強度が得やすい。
【００１２】
本実施の形態によれば、水の電気部品４に至る経路となり得る、取付面６を送風装置２の側面３から浮いた状態に支える取付脚５に鋭角の切欠き９と、その取付面６寄りに背面側に向かって漏斗状にすぼまる水誘導孔１０が設けられているので、送風装置２の側面３等に生じ、取付部品１の取付脚５の平面部８にできる水滴は、両側の切欠き９によりその表面張力を失い、濡れた状態となって水誘導孔１０に円滑に誘導され、水誘導孔１０から排出される。従って、電気部品４を取付ける取付面６には水が及ばず、水滴の浸入を完全に防ぐ収納ボックス等を設けなくても、水滴、ほこりに直接晒されることを防ぐ、図４に示すような保護カバー１３のみで、取付脚５を大きくしないでも取付面６への水の到達を回避することができる。
【００１３】
排水構造としては、図５に示すように取付脚５の平面部８に幅方向全体にわたるトラップ溝１１を設け、そのトラップ溝１１の溝底に排水孔１２を設けても良い。この場合、トラップ溝１１だけでは水滴がトラップ溝１１に溜まり、トラップの機能を果たさなくなるので、排水孔１２は必要である。この構成では取付脚５の強度を損なう構成は殆どなく、トラップ溝１１がリブとなりむしろ強度の向上に貢献できる。
【図面の簡単な説明】
【００１４】
【図１】取付部品を示す斜視図である。（実施の形態１）
【図２】取付部品の要部を拡大して示す斜視図である。（実施の形態１）
【図３】取付状態で取付部品の要部を拡大して示す斜視図である。（実施の形態１）
【図４】送風装置の斜視図である。（実施の形態１）
【図５】他の形態の取付部品の要部を拡大して示す斜視図である。（実施の形態１）
【符号の説明】
【００１５】
１  取付部品、  ２  送風装置、  ３  側面、  ４  電気部品、  ５  取付脚、  ６  取付面、  ８  平面部、  ９  切欠き、  １０  水誘導孔、  １１  トラップ溝、  １２  排水孔。
【図１】
2008251624.tif 000003
【図２】
2008251624.tif 000004
【図３】
2008251624.tif 000005
【図４】
2008251624.tif 000006
【図５】
2008251624.tif 000007